(57)【要約】【課題】ガイド部材の最初の取り付け位置（または台座の取り付け位置）が引戸に対してずれている場合でも容易にガイドローラの位置を調節でき、ガイドローラとガイド溝とのクリアランスをなくすることで引戸のガタつきを抑えることができる上吊式引戸の戸先振れ止め機構を提供する。【解決手段】引戸１０のガイド溝１０ａに挿入されるガイドローラ２１と、前記ガイドローラ２１を回転可能に支持する支持軸２２と、前記支持軸２２を立設させた底板部２３と、を備えたガイド部材２０を有し、前記ガイド部材２０を前記引戸１０のガイド溝１０ａの延設方向に沿って複数連設し、前記ガイド溝１０ａの一対の内壁面１０ｂの両側に前記ガイドローラ２１を当接させた。【選択図】図５
2014125840.tif 000002
【特許請求の範囲】
【請求項１】
下端面に振れ止め用のガイド溝を形成した上吊式引戸の振れ止め機構であって、
前記ガイド溝に挿入されるガイドローラと、前記ガイドローラを回転可能に支持する支持軸と、前記支持軸を立設させた底板部と、を備えたガイド部材を有し、
前記ガイド部材を前記引戸のガイド溝の延設方向に沿って複数連設し、前記ガイド溝の一対の内壁面の両側に前記ガイドローラを当接させたことを特徴とする、上吊式引戸の戸先振れ止め機構。
【請求項２】
前記ガイド部材は、回動支点を中心にピボット回転することで前記ガイドローラの位置を調節可能に形成されていることを特徴とする、請求項１記載の上吊式引戸の戸先振れ止め機構。
【請求項３】
前記ガイド部材の固定用孔に挿入されるボルトと、前記ボルトと螺合する取付孔を形成した台座と、を備え、
前記台座に複数の前記ガイド部材を連設したことを特徴とする、請求項１又は２記載の上吊式引戸の戸先振れ止め機構。
【発明の詳細な説明】
【技術分野】
【０００１】
この発明は、上吊式の引戸が厚み方向に振れることを防止するための戸先振れ止め機構に関する。
【背景技術】
【０００２】
住宅の門戸などにおいて上吊式の引戸が使用されている。上吊式の引戸は、上枠などに設けた上レールに引戸を吊り下げ保持させ、引戸を上レールに沿って摺動させることで開閉操作可能となっている。このような上吊式の引戸を使用した場合、下レールが存在しないので設置面をフラットにすることができ、かつ、軽く開閉操作することもできるというメリットがある反面、引戸の下方が不安定であるため、開閉に際して引戸の厚み方向に横振れが発生するという問題がある。
【０００３】
このため、例えば、特許文献１には、吊戸本体の下端面に下方に開放した断面コ字形の走行溝を形成し、この走行溝にガイドを嵌挿することにより吊戸本体の走行時における厚さ方向の振れを規制する技術が記載されている。この特許文献１記載の技術は、床面に配置される基板と、基板に立設した一対のガイドローラと、基板を床面に取り付けるための取付ねじとからなり、基板にはねじ止め用の円形の孔と円弧状の孔とが形成されているものであり、円形の孔を使用して床面に仮止めした状態で基板を回転させてガイドローラをガイド溝の前後の内側面に当接させるようになっている。この特許文献１記載の技術によれば、一対のガイドローラを設けることで、ガイドローラが１つの場合に比べて引戸の直進性を良くすることができ、また、ガイドローラをガイド溝の前後の内側面に当接させることでガイドローラとガイド溝とのクリアランスをなくすることができるのでガタつきを抑える効果が期待できる。
【先行技術文献】
【特許文献】
【０００４】
【特許文献１】特開２００７−１８２６７５号公報
【発明の概要】
【発明が解決しようとする課題】
【０００５】
しかし、上記した特許文献１記載の技術では、基板を回転させて一対のガイドローラの位置を調節することはできるものの、一対のガイドローラが一体的に移動するため、円形の孔を使用して床面に仮止めしたねじの位置がずれている場合にはこの誤差を吸収することはできないものであった。すなわち、基板を回転させて一対のガイドローラの位置を調節すると、円形の孔を中心として一対のガイドローラが一体的に回転するため、円形の孔の中心が引戸のガイド溝の中心からずれている場合には、このずれを解消することができない。このため、引戸が傾いてガイドされたり、ガイドローラとガイド溝との間にクリアランスができてガタつきが発生したりする問題が発生するという問題があった。
【０００６】
そこで、本発明は、ガイド部材の最初の取り付け位置（または台座の取り付け位置）が引戸に対してずれている場合でも容易にガイドローラの位置を調節でき、ガイドローラとガイド溝とのクリアランスをなくすることで引戸のガタつきを抑えることができる上吊式引戸の戸先振れ止め機構を提供することを課題とする。
【課題を解決するための手段】
【０００７】
本発明は、上記した課題を解決するためになされたものであり、以下を特徴とする。
【０００８】
（請求項１）
請求項１に記載の上吊式引戸の戸先振れ止め機構は、下端面に振れ止め用のガイド溝を形成した上吊式引戸の振れ止め機構であって、前記ガイド溝に挿入されるガイドローラと、前記ガイドローラを回転可能に支持する支持軸と、前記支持軸を立設させた底板部と、を備えたガイド部材を有し、前記ガイド部材を前記引戸のガイド溝の延設方向に沿って複数連設し、前記ガイド溝の一対の内壁面の両側に前記ガイドローラを当接させたことを特徴とする。
【０００９】
（請求項２）
請求項２に記載の発明は、上記した請求項１記載の発明の特徴点に加え、以下の点を特徴とする。
【００１０】
すなわち、前記ガイド部材は、回動支点を中心にピボット回転することで前記ガイドローラの位置を調節可能に形成されていることを特徴とする。
【００１１】
（請求項３）
請求項３に記載の発明は、上記した請求項１又は２記載の発明の特徴点に加え、以下の点を特徴とする。
【００１２】
すなわち、前記ガイド部材の固定用孔に挿入されるボルトと、前記ボルトと螺合する取付孔を形成した台座と、を備え、前記台座に複数の前記ガイド部材を連設したことを特徴とする。
【発明の効果】
【００１３】
請求項１に記載の発明は上記の通りであり、ガイド部材を引戸のガイド溝の延設方向に沿って複数連設し、複数のガイドローラをガイド溝の一対の内壁面の両側に当接させることで、ガイドローラとガイド溝とのクリアランスをなくすることができ、引戸のガタつきを抑えることができる。しかも、ガイド部材はそれぞれ単独で位置調整が可能であるため、複数のガイドローラが形成する幅及び方向を自由に設定できる。よって、ガイド部材の最初の取り付け位置（または台座の取り付け位置）が引戸に対してずれている場合でも、容易に引戸のガタつきを抑えることができる。例えば、ガイド部材とガイド溝とが厚み方向にずれている場合でも、１つ目のガイドローラの位置を調節することにより施工時のばらつきを調整し、２つ目のガイドローラの位置を調節することにより引戸の振れを固定することで、容易に引戸のガタつきを抑えることができる。
【００１４】
また、複数のガイド部材がそれぞれガイドローラを備えていることで、複数のガイドローラを一体形成したガイド部材を使用した場合と比較して、ガイドローラの軸間距離・角度の調整範囲が広がるので、引戸の大きさやガイド溝の幅が変化した場合でも容易に対処することができる。
【００１５】
また、ガイドローラを複数備えているため、ガイドローラが１つの場合に比べて引戸の直進性を良くすることができる。なお、複数のガイド部材（ガイドローラ）間の距離を大きくすれば、引戸の直進性を更に向上させることができる。特に、面積が大きい引戸を屋外に設置した場合などは風等の影響で振れ幅が大きくなるが、このような場合でも直進性を確保することができる。
【００１６】
また、請求項２に記載の発明は上記の通りであり、前記ガイド部材は、回動支点を中心にピボット回転することで前記ガイドローラの位置を調節可能に形成されているため、引戸を吊った後でもピボット回転により容易にガイドローラの位置を調節することができる。
【００１７】
また、請求項３に記載の発明は上記の通りであり、前記ガイド部材の固定用孔に挿入されるボルトと、前記ボルトと螺合する取付孔を形成した台座と、を備え、前記台座に複数の前記ガイド部材を連設している。これにより、複数のガイド部材の仮止め位置が台座の固定により決定されるので、施工性を向上させることができる。
【図面の簡単な説明】
【００１８】
【図１】本発明に係る上吊式引戸の戸先振れ止め機構を備えた門戸の外観図である。
【図２】ガイド部材を取り付けた台座の（ａ）平面図、（ｂ）側面図である。
【図３】ガイド部材と引戸との関係を示す正面図である。
【図４】ガイド部材と引戸との関係を示す側面図である。
【図５】ガイド部材を回転させた状態を示す平面図である。
【発明を実施するための形態】
【００１９】
本発明の実施形態について、本発明に係る上吊式引戸の戸先振れ止め機構を備えた門戸を例に説明する。
【００２０】
本実施形態に係る門戸は、屋外に配置されるものであり、図１に示すような高尺の引戸１０を備えている。この引戸１０は、上レール１２に吊り込まれて水平方向に摺動する上吊式の引戸１０であり、下部にはレールを設けない構造となっている。
【００２１】
この引戸１０の上部両端付近にはローラ部材１１が取り付けられており、このローラ部材１１が上レール１２に係合することで、引戸１０が上レール１２に吊り支持されている。
【００２２】
引戸１０の下部には、図４に示すように、下端面を覆うように下桟１０ｃが取り付けられている。この下桟１０ｃには、ガイド溝１０ａが下方に向けて開口している。このガイド溝１０ａは、引戸１０の下端面において長手方向に全長に渡って設けられており、下方から挿入されたガイド部材２０のガイドローラ２１（後述）に係合可能となっている。
【００２３】
本発明に係る上吊式引戸の戸先振れ止め機構は、図２に示すようなガイド部材２０及び台座３２を備えている。
【００２４】
ガイド部材２０は、前述したガイド溝１０ａに係合して引戸１０の振れ止めを行うためのものであり、引戸１０を閉鎖したときに反戸先側において引戸１０と係合し、かつ、引戸１０を完全に開放したときに戸先側において引戸１０と係合するように、門戸の中央付近に配設されている。
【００２５】
このガイド部材２０は、図２に示すように、ガイド溝１０ａに挿入されるガイドローラ２１と、このガイドローラ２１を回転可能に支持する支持軸２２と、この支持軸２２を立設させた底板部２３と、を備えている。
【００２６】
底板部２３は、板状の部材であり、長手方向の中央に支持軸２２を立設させるとともに、この支持軸２２を挟むように両側に第１固定用孔２３ａと第２固定用孔２３ｂとが穿設されている。第１固定用孔２３ａは、後述するボルト３１の軸部と略同じ大きさの丸孔である。第２固定用孔２３ｂは、後述するボルト３１の軸部と略同じ幅で形成された長孔であり、第１固定用孔２３ａを中心とした円弧状に形成されている。
【００２７】
支持軸２２は、下端部を底板部２３に固定された棒状部材である。この支持軸２２の上端付近には、ガイドローラ２１が回転可能に取り付けられている。
【００２８】
ガイドローラ２１は、円筒状の部材であり、中心を貫通するように支持軸２２に回転自在に取り付けられる。このガイドローラ２１の外周はゴムや樹脂などで形成されたリング状部材で覆われており、このリング状部材がガイド溝１０ａの内壁面１０ｂに当接するようになっている。
【００２９】
台座３２は、図２に示すようなブロック状の部材であり、ボルト３１を使用してガイド部材２０を取り付けるためのものである。この台座３２は、引戸１０の摺動方向に沿って複数（本実施形態においては２つ）のガイド部材２０を連設できるように形成されている。具体的には、ガイド部材２０を取り付けるための取付孔３２ａが長手方向に一直線に４つ連設してあり、一方の側の２つの取付孔３２ａを使用して１つのガイド部材２０を取り付け、他方の側の２つの取付孔３２ａを使用してもう１つのガイド部材２０を取り付けられるようになっている。このとき、中央の２つの取付孔３２ａは、それぞれのガイド部材２０の第１固定用孔２３ａを貫通したボルト３１を螺合させるためのものであり、外側の２つの取付孔３２ａは、それぞれのガイド部材２０の第２固定用孔２３ｂを貫通したボルト３１を螺合させるためのものである。このため、台座３２にガイド部材２０を取り付けたときには、図２に示すように、第１固定用孔２３ａが設けられた側の端部が互いに隣り合うように連設される。
【００３０】
なお、台座３２は、貫通形成された固定孔３２ｂを備えており、この固定孔３２ｂを貫通する台座取付ピン３３が地上面に打ち込まれることで、設置場所に固定される。
【００３１】
本実施形態に係る戸先振れ止め機構を使用して引戸１０の振れ止めを行う手順は以下の通りである。
【００３２】
まず、台座３２を台座取付ピン３３によって地上面に固定する。そして、この台座３２にガイド部材２０を仮止めする。このとき、第１固定用孔２３ａと第２固定用孔２３ｂにボルト３１を差し込んで台座３２の取付孔３２ａに挿入された状態とするが、ボルト３１を固く締めないようにする。前述したように、第２固定用孔２３ｂは第１固定用孔２３ａを中心とした円弧状で形成されているため、ボルト３１を仮止めした状態では第１固定用孔２３ａを回動支点としてガイド部材２０をピボット回転できるようになっている。ガイド部材２０をピボット回転することでガイドローラ２１の位置が調節できるようになっている。
【００３３】
ガイド部材２０を仮止めしたら、引戸１０を上レール１２に吊り込んで引戸１０を取り付ける。このとき、引戸１０の下端面に形成されたガイド溝１０ａにガイドローラ２１が挿入されるようにする。
【００３４】
引戸１０を取り付けたら、ガイド溝１０ａに合うようにガイド部材２０をピボット回転させる。このとき、図５に示すように、ガイド溝１０ａの一方の内壁面１０ｂに一方のガイドローラ２１が当接し、ガイド溝１０ａの他方の内壁面１０ｂに他方のガイドローラ２１が当接するように調節する。これにより、引戸１０をガタつきなくガイドすることができる。調整が完了したら側面からスパナを差し込んでボルト３１を締結する。
【００３５】
なお、２つのガイド部材２０の回転量は均等にする必要はなく、引戸１０の摺動方向に合わせて適宜ガイドローラ２１の位置を調節すればよい。例えば、引戸１０が摺動方向に対して捩れている場合には、１つ目のガイドローラ２１をガイド溝１０ａに当接させることで引戸１０の方向を調節した後に、この１つ目のガイドローラ２１の逆側に２つ目のガイドローラ２１を当接させて引戸１０の振れを固定すればよい。
【００３６】
また、ガイド溝１０ａが広い場合には２つのガイドローラ２１を厚み方向に離して配置すればよく、ガイド溝１０ａが狭い場合には２つのガイドローラ２１を厚み方向に接近させて配置すればよい。このように、ガイドローラ２１の位置を調節することで、様々な幅のガイド溝１０ａに対応することができる。
【００３７】
以上説明したように、本実施形態によれば、ガイド部材２０の底板部２３には２つの固定用孔２３ａ、２３ｂが穿設されるとともに、一方の固定用孔２３ａを回動支点としてピボット回転することでガイドローラ２１の位置を調節可能に形成されているため、引戸１０を吊った後でもピボット回転により容易にガイドローラ２１の位置を調節することができる。
【００３８】
また、ガイド部材２０を引戸１０のガイド溝１０ａの延設方向に沿って複数連設し、複数のガイドローラ２１をガイド溝１０ａの一対の内壁面１０ｂの両側に当接させることで、ガイドローラ２１とガイド溝１０ａとのクリアランスをなくすることができ、引戸１０のガタつきを抑えることができる。しかも、ガイド部材２０はそれぞれ単独で位置調整が可能であるため、複数のガイドローラ２１が形成する幅及び方向を自由に設定できる。よって、台座３２の取り付け位置が引戸１０に対してずれている場合でも、容易に引戸１０のガタつきを抑えることができる。例えば、ガイド部材２０とガイド溝１０ａとが厚み方向にずれている場合でも、１つ目のガイドローラ２１の位置を調節することにより施工時のばらつきを調整し、２つ目のガイドローラ２１の位置を調節することにより引戸１０の振れを固定することで、容易に引戸のガタつきを抑えることができる。
【００３９】
また、複数のガイド部材がそれぞれガイドローラ２１を備えていることで、複数のガイドローラを一体形成したガイド部材を使用した場合と比較して、ガイドローラ２１の軸間距離・角度の調整範囲が広がるので、引戸１０の大きさやガイド溝１０ａの幅が変化した場合でも容易に対処することができる。
【００４０】
また、ガイドローラ２１を複数備えているため、ガイドローラ２１が１つの場合に比べて引戸１０の直進性を良くすることができる。なお、複数のガイド部材２０（ガイドローラ２１）間の距離を大きくすれば、引戸１０の直進性を更に向上させることができる。特に、面積が大きい引戸１０を屋外に設置した場合などは風等の影響で振れ幅が大きくなるが、このような場合でも直進性を確保することができる。
【００４１】
また、前記ガイド部材２０の固定用孔２３ａ、２３ｂに挿入されるボルト３１と、前記ボルト３１と螺合する取付孔３２ａを形成した台座３２と、を備え、前記台座３２に複数の前記ガイド部材２０を連設しているため、複数のガイド部材２０の仮止め位置が台座３２の固定により決定されるので、施工性を向上させることができる。
【００４２】
なお、上記した実施形態においては、ガイド部材２０を２つ設けることとしたが、これに限らず、３つ以上のガイド部材２０を設けてもよい。
【００４３】
また、上記した実施形態においては、台座３２を使用したが、これに限らず、台座３２を使用せずに直接ガイド部材２０を設置場所に固定するようにしてもよい。
【符号の説明】
【００４４】
１０  引戸
１０ａ  ガイド溝
１０ｂ  内壁面
１０ｃ  下桟
１１  ローラ部材
１２  上レール
２０  ガイド部材
２１  ガイドローラ
２２  支持軸
２３  底板部
２３ａ  第１固定用孔
２３ｂ  第２固定用孔
３１  ボルト
３２  台座
３２ａ  取付孔
３２ｂ  固定孔
３３  台座取付ピン
【図１】
2014125840.tif 000003
【図２】
2014125840.tif 000004
【図３】
2014125840.tif 000005
【図４】
2014125840.tif 000006
【図５】
2014125840.tif 000007